(57)【要約】【課題】印刷した画像データを迅速かつ容易に外部の記憶装置に送信し、これにより印刷した画像データの利用を容易化する。【解決手段】プリンタドック１２はデジタルカメラ１０及び外部記録装置１４と接続される。プリンタドック１２はデジタルカメラ１０からサムネイル画像を読み込み、読み込まれたサムネイル画像から印刷対象の画像を選択して印刷指令を行う。また、印刷指令された画像データをデジタルカメラ１０から読み込み、読み込んだ画像データを印刷処理し、印刷した画像データを外部記録装置１４に自動送信する。指令された画像データがデジタルカメラ１０に存在しない場合、外部記録装置１４から読み込む。【選択図】図１
2007181964.tif 000002
【特許請求の範囲】
【請求項１】
デジタルカメラ及び外部記録装置と接続されるプリンタにおいて、
画像データの印刷指令及びその指令された画像データを前記デジタルカメラから読み込む画像データ読込手段と、
前記読み込んだ画像データを印刷処理する印刷処理手段と、
前記印刷した画像データを前記外部記録装置に送信する画像送信手段と、
を有することを特徴とするプリンタ。
【請求項２】
請求項１記載のプリンタにおいて、
前記画像データ読込手段は、指令された画像データが前記デジタルカメラに存在しない場合に、前記外部記録装置から読み込むことを特徴とするプリンタ。
【請求項３】
請求項１記載のプリンタにおいて、
前記印刷の終了後、前記デジタルカメラに対して印刷済み画像データの削除指令を行う削除指令手段を有することを特徴とするプリンタ。
【請求項４】
デジタルカメラ及び外部記録装置と接続されるプリンタにおいて、
表示手段と、
前記デジタルカメラからサムネイル画像を読み込むサムネイル読込手段と、
前記読み込まれたサムネイル画像を前記表示手段に表示してユーザにより選択可能とするサムネイル表示手段と、
前記サムネイル画像から印刷対象の画像を選択して印刷指令を行う印刷指令手段と、
前記印刷指令された画像データを前記デジタルカメラから読み込む画像データ読込手段と、
読み込んだ画像データを印刷処理する印刷処理手段と、
前記印刷した画像データを前記外部記録装置に送信する画像送信手段と、
を有することを特徴とするプリンタ。
【請求項５】
請求項４記載のプリンタにおいて、
前記画像データ読込手段は、指令された画像データが前記デジタルカメラに存在しない場合に、前記外部記録装置から読み込むことを特徴とするプリンタ。
【請求項６】
請求項４記載のプリンタにおいて、
前記印刷の終了後、前記デジタルカメラに対して印刷済み画像データの削除指令を行う削除指令手段を有することを特徴とするプリンタ。
【請求項７】
請求項２、５のいずれかに記載のプリンタにおいて、
前記画像データ読込手段は、前記指令された画像データに加え、その画像データの印刷補正データ並びに印刷履歴データを読み込み、
前記印刷処理手段は、前記印刷補正データを参照して前記画像データを印刷するとともに、印刷後に前記印刷履歴データを更新することを特徴とするプリンタ。
【請求項８】
請求項３、６のいずれかに記載のプリンタにおいて、
前記削除指令手段は、前記デジタルカメラに対して前記印刷済み画像データの本体データを削除しサムネイルを残す指令を行うことを特徴とするプリンタ。
【請求項９】
画像データを記録する記録手段と、
プリンタに対して印刷指令及び記録された画像データを送信する手段と、
前記プリンタでの印刷後に、前記プリンタからの要求に応じ、外部記録装置へ送信するために印刷済み画像データを前記プリンタに送信する手段と、
を有することを特徴とするデジタルカメラ。
【請求項１０】
請求項９記載のデジタルカメラにおいて、
前記プリンタでの印刷後に、前記プリンタからの要求に応じ、前記印刷済み画像データを前記記録手段から削除する手段を有することを特徴とするデジタルカメラ。
【請求項１１】
プリンタと接続される記録装置において、
プリンタで印刷された画像の画像データ、印刷時の色補正データ及び印刷履歴データを記録する記録部と、
前記プリンタからの要求に応じ、前記画像データ、前記色補正データ及び前記印刷履歴データを前記プリンタに送信する手段と、
を有することを特徴とする記録装置。
【発明の詳細な説明】
【技術分野】
【０００１】
本発明は互いに接続されたデジタルカメラ及びプリンタ並びに記録装置に関し、特に印刷に伴う処理に関する。
【背景技術】
【０００２】
従来より、デジタルカメラで撮影して得られた画像データをデジタルカメラ内ではなく、外部のサーバ装置あるいはライブラリに送信し、必要に応じてサーバ装置あるいはライブラリから画像データを取得する技術が提案されている。
【０００３】
下記の特許文献１には、カメラの画像を画像ライブラリに格納し、画像再生装置からの要求に応じて画像ライブラリから画像再生装置に画像データを送信することが記載されている。
【０００４】
また、下記の特許文献２には、カメラから外部装置に画像データを自動送信することが記載されている。
【０００５】
また、下記の特許文献３には、写真プリント条件をデータベースに蓄積し、これを用いて写真処理拠点で再プリント処理を実行することが記載されている。
【０００６】
また、下記の特許文献４には、カメラからデータベースに送信する際にサムネイル画像と送信先情報を記憶しておき、サムネイル画像を用いて画像を選択して画像データをデータベースから受信することが記載されている。
【０００７】
【特許文献１】特開平９−１５３１２９号公報
【特許文献２】特開平１１−１３６６１２号公報
【特許文献３】特開２０００−３０５１９４号公報
【特許文献４】特開２００２−２０９１３１号公報
【発明の開示】
【発明が解決しようとする課題】
【０００８】
しかしながら、デジタルカメラで画像を撮影したユーザは、プリンタ等で画像を印刷した際に、印刷した画像データを印刷した条件とともに外部のサーバ装置、データベースあるいはライブラリに登録したいと欲する場合があり、このような場合にもその都度デジタルカメラを操作して外部のサーバ装置等にアクセスし、印刷した画像データを特定して画像データを送信しなければならず、ユーザの手間が煩雑となっていた。
【０００９】
本発明は上記の課題に鑑みなされたものであり、その目的は、印刷した画像データを迅速かつ容易に外部の記憶装置に送信し、これにより印刷した画像データの利用を容易化できる装置を提供することにある。
【課題を解決するための手段】
【００１０】
本発明は、デジタルカメラ及び外部記録装置と接続されるプリンタにおいて、画像データの印刷指令及びその指令された画像データを前記デジタルカメラから読み込む画像データ読込手段と、前記読み込んだ画像データを印刷処理する印刷処理手段と、前記印刷した画像データを前記外部記録装置に送信する画像送信手段とを有することを特徴とする。
【００１１】
また、本発明は、デジタルカメラ及び外部記録装置と接続されるプリンタにおいて、表示手段と、前記デジタルカメラからサムネイル画像を読み込むサムネイル読込手段と、前記読み込まれたサムネイル画像を前記表示手段に表示してユーザにより選択可能とするサムネイル表示手段と、前記サムネイル画像から印刷対象の画像を選択して印刷指令を行う印刷指令手段と、前記印刷指令された画像データを前記デジタルカメラから読み込む画像データ読込手段と、読み込んだ画像データを印刷処理する印刷処理手段と、前記印刷した画像データを前記外部記録装置に送信する画像送信手段とを有することを特徴とする。
【００１２】
本発明の１つの実施形態では、前記画像データ読込手段は、前記指令された画像データに加え、その画像データの印刷補正データ並びに印刷履歴データを読み込み、前記印刷処理手段は、前記印刷補正データを参照して前記画像データを印刷するとともに、印刷後に前記印刷履歴データを更新する。
【００１３】
また、本発明は、デジタルカメラであって、画像データを記録する記録手段と、プリンタに対して印刷指令及び記録された画像データを送信する手段と、前記プリンタでの印刷後に、前記プリンタからの要求に応じ、外部記録装置へ送信するために印刷済み画像データを前記プリンタに送信する手段とを有することを特徴とする。
【発明の効果】
【００１４】
本発明では、デジタルカメラで得られた画像をプリンタで印刷すると、プリンタから印刷済み画像データを外部記録装置に送信するため、ユーザの手間を省きつつ効率的に印刷済みの画像データを外部記録装置に記録できる。また、印刷済みの画像データはデジタルカメラから削除されるため、デジタルカメラのメモリ容量を確保することができる。印刷済みの画像データが必要となった場合でも、本発明では印刷済みの画像データは外部記録装置に記録、保管されているため、ユーザは任意に利用できる。さらに、印刷済み画像データとともに印刷補正データも外部記録装置に記録しておくことで、再印刷する場合にも当該印刷補正データを参照することで同一条件で印刷、あるいは印刷補正データを考慮した新たな条件で印刷することができる。
【発明を実施するための最良の形態】
【００１５】
以下、図面に基づき本発明の実施形態について説明する。
【００１６】
図１に、本実施形態におけるシステム構成図を示す。デジタルカメラ１０、プリンタ（プリンタドック）１２及び外部記録装置１４が通信回線で接続される。
【００１７】
デジタルカメラ１０は、レンズやシャッタ、絞り等の光学系やＣＣＤ、ＣＭＯＳ等の固体撮像素子、画像信号を処理する信号処理回路を有する撮像部１０ａ、撮像部１０ａで得られた画像データや各種メニューを表示するＬＣＤ等の表示部１０ｂ、撮像部１０ａで得られた画像データを記憶するフラッシュメモリ等の記憶部１０ｃ、及びプリンタドック１２と通信回線を介して各種指令やデータを送受する通信部１０ｄを備える。
【００１８】
プリンタドック１２は、画像データを印刷する印刷機構部１２ａ、印刷ボタンや送信ボタン、閲覧ボタン、削除ボタン、選択ボタン等の各種ボタンからなるボタン機構部１２ｂ、サムネイル画像や各種メニュー、動作状態を表示するＬＣＤ等の表示部１２ｃ、印刷するユーザのＩＤを記憶するフラッシュメモリ等の記録部１２ｄ、及び外部記録装置１４と通信回線を介して各種指令やデータを送受する通信部１２ｆを備える。
【００１９】
外部記録装置（サーバ装置、データベースあるいはライブラリ）１４は、ＩＤ毎のファイルを記録する記録部１４ａ、１４ｂ、１４ｃ・・及びプリンタ１２との間でデータを送受する通信部１４ｄを備える。ＩＤ記録部１４ａ、１４ｂ・・は、ユーザのＩＤ毎に印刷済みの各画像の各種データを記録する。図において、ＩＤ３記録部１４ｃのファイル構造が例示されている。記録部１４ｃは、画像Ａのファイル１４ｃ１、画像Ｂのファイル１４ｃ２及び画像Ｃのファイル１４ｃ３を有する。画像Ａのファイル１４ｃ１は、撮影画像ファイル１６と、印刷補正ファイル１８と、履歴情報ファイル２０から構成される。撮影画像ファイル１６は、撮影画像の画像データを記録するファイルであり、Ｅｘｉｆフォーマットで記録される。印刷補正ファイル１８は、ユーザが撮影画像を印刷する場合にプリンタ１２に対して指示した色補正等のデータを記録するファイルである。履歴情報ファイル２０は、印刷した日時や印刷に使用したプリンタ１２のＩＤ、印刷枚数等の履歴を記録するファイルである。各ファイルの詳細についてはさらに後述する。各ファイル１６、１８、２０はデジタルカメラ１０の記録部１０ｃにも記録される。
【００２０】
このようなシステム構成において、デジタルカメラ１０をプリンタドック１２に接続し、ユーザがデジタルカメラ１０を操作して所望の画像データの印刷をプリンタドック１２に対して指示し、あるいは、ユーザがプリンタドック１２を操作して所望の画像データの印刷をプリンタドック１２に指示すると、プリンタドック１２は当該印刷指示に従って該当画像データを印刷し、さらに印刷した画像データを外部記録装置１４に送信する。外部記録装置１４では、プリンタドック１２から送信された、印刷済みの画像データ及びそれに付随するデータ（印刷補正データや履歴情報データ）を記録部１４ａ等に記録する。以下、デジタルカメラ１０を操作して印刷指示する場合と、プリンタドック１２を操作して印刷指示する場合とに分けて本実施形態の処理を説明する。
【００２１】
＜デジタルカメラ１０を操作して印刷指示する場合＞
図２に、プリンタドック１２の処理フローチャートを示す。まず、デジタルカメラ１０をプリンタドック１２に有線あるいは無線の通信回線で接続し（Ｓ１０１）、デジタルカメラ１０のＩＤ照合や指示ファイルの読込を実行する（Ｓ１０２）。その後、ユーザがデジタルカメラ１０の印刷ボタンを押下操作すると（Ｓ１０３）、デジタルカメラ１０から送信された印刷・送信指示ファイルを解析して実行する（Ｓ１０４）。
【００２２】
図３に、印刷・送信指示ファイル１５のファイル構造を示す。印刷・送信指示ファイル１５は、項目として、「画像ファイル名」、「画像本体の有無」、「印刷指示及び印刷枚数」、「送信指示」を有する。図において、例えば「画像ファイル名」として画像Ａ、「画像本体の有無」として本体無し、「印刷指示及び印刷枚数」として印刷１０枚、「送信指示」として送信が規定されている。「画像本体の有無」とは、デジタルカメラ１０の記録部１０ｃの容量を低減するための画像データの本体を記録することなく、その画像データのサムネイルだけを記録することを意味する。デジタルカメラ１０の撮像部１０ａで得られた画像データを外部記録装置１４に送信（アップロード）し、サムネイル画像だけをデジタルカメラ１０内に残す技術は公知であり、例えば上記の特許文献４に開示されている。「画像本体の有無」が無しの場合、デジタルカメラ１０には存在せず外部記録装置１４に存在することになる。「送信指示」とは、印刷した画像データを外部記録装置に自動送信する（ユーザが別途指示することなく、印刷後に自動的に外部記録装置に送信する）ことを意味する。プリンタドック１２は、印刷・送信指示ファイル１５を解析することで、印刷すべき画像ファイルを特定し、かつ特定した画像データ本体がデジタルカメラ１０に存在するか否かを特定し、さらに当該画像データを印刷後に自動送信するか否かを認識する。
【００２３】
再び図２に戻り、印刷・送信指示ファイルを解析した後、印刷・送信指示ファイルに印刷指示があるか否かを判定する（Ｓ１０５）。印刷指示がある場合、さらにデジタルカメラ１０に画像本体が存在するか否かを判定する（Ｓ１０６）。上記のとおり、「画像本体の有無」が無しの場合、デジタルカメラ１０にはサムネイル画像しか存在しないので、プリンタドック１２は通信部１２ｆを介して外部記録装置１４から画像データの本体、つまり撮影画像ファイル１６を読み込む（Ｓ１０７）。また、プリンタドック１２は撮影画像ファイル１６だけでなく、印刷補正ファイル１８及び履歴情報ファイル２０も同時に外部記録装置１４から読み込む。撮影画像ファイル１６は言うまでもなく印刷すべき画像データのために必要であり、印刷補正データは印刷時の色補正に必要であり、履歴情報は印刷後の履歴情報の更新に必要となるからである。必要なファイルを外部記録装置１４から読み込んだ後、プリンタドック１２の印刷機構部１２ａは印刷・送信指示ファイルで指令された画像データの印刷処理を指令された枚数だけ実行する（Ｓ１０８）。画像データを印刷した後、履歴情報ファイル２０を更新する（Ｓ１０９）。
【００２４】
一方、Ｓ１０６にてデジタルカメラ１０に画像本体があると判定された場合、デジタルカメラ１０の記録部１０ｃに記録されている、印刷・送信指示ファイルで指令された画像の撮影画像ファイル１６、印刷補正ファイル１８及び履歴情報ファイル２０を読み込み（Ｓ１１０）、Ｓ１０８と同様に印刷処理を実行する（Ｓ１１１）。画像データを印刷した後、履歴情報ファイル２０を更新するとともに、デジタルカメラ１０の記録部１０ｃに記録されている、撮影画像ファイル１６のうちの画像本体部分、印刷補正ファイル１８、履歴情報ファイル２０を削除する（Ｓ１１２）。すなわち、プリンタドック１２は、デジタルカメラ１０に存在する画像データを印刷した後は、デジタルカメラ１０に画像データを保持しておく必要がないものと判断して、デジタルカメラ１０に対して撮影画像ファイル１６のうちの画像本体部分、印刷補正ファイル１８、履歴情報ファイル２０の削除指令を送信する。デジタルカメラ１０は、プリンタドック１２からの削除指令に応じ、これらのファイルを記録部１０ｃから削除してメモリ容量を確保する。撮影画像ファイル１６のうちの画像本体部分を削除しサムネイル画像を残すのは、印刷後にユーザがデジタルカメラ１０を操作してサムネイル画像に基づいて画像の検索あるいは閲覧を行う場合もあることを考慮したものである。更新処理を実行した後、プリンタドック１２はさらに自動送信モードか否かを判定する（Ｓ１１３）。印刷・送信指示ファイルの「送信指示」が送信となっている場合、自動送信モードであると判定して送信処理に移行する。Ｓ１０５にて印刷指示ではないと判定され、送信指示であると判定された場合（Ｓ１１４）も同様に送信処理に移行する。
【００２５】
送信処理では、まず、印刷した画像データが既に外部記録装置１４に記録（登録）されているか否かの重複確認を行う（Ｓ１１５）。この確認は、印刷した画像データのファイル名あるいはＩＤで外部記録装置の記録部１４ａ等を検索することで行う。もちろん、Ｓ１０６でデジタルカメラ１０に画像本体が有る場合には未だ画像データは外部記録装置１４に存在せず、デジタルカメラ１０に画像本体が存在しない場合には画像データは既に外部記録装置１４に存在することになるから、この事実を用いて重複確認を行ってもよい。
印刷した画像データが既に外部記録装置１４に存在する場合には、たとえ自動送信モードであっても印刷した画像データを外部記録装置１４には送信しない。印刷した画像データが外部記録装置１４に存在しない場合、プリンタドック１２はデジタルカメラ１０から印刷した画像データの撮影画像ファイル１６、印刷補正ファイル１８及び履歴情報ファイル２０を読み込み、通信部１２ｆを介して外部記録装置１４に送信（アップロード）する。また、これらのファイルを外部記録装置１４に自動送信した後、デジタルカメラ１０に対して撮影画像ファイル１６のうちの画像本体部分、印刷補正ファイル１８、履歴情報ファイル２０の削除指令を送信する。デジタルカメラ１０は、プリンタドック１２からの削除指令に応じ、これらのファイルを記録部１０ｃから削除してメモリ容量を確保する（Ｓ１１６）。印刷・送信指示ファイルで指示された全ての指令を解析して実行した後、プリンタドック１２は処理を終了する（Ｓ１０４で実行後に終了）。
【００２６】
図４に、デジタルカメラ１０の記録部１０ｃあるいは外部記録装置１４の記録部１４ａ等に記録される、撮影画像ファイル１６、印刷補正ファイル１８及び履歴情報ファイルの構造を示す。図４（ａ）は撮影画像ファイル１６であり、Ｅｘｉｆファイルフォーマットである。Ｅｘｉｆヘッダデータ、サムネイル画像データ、及び画像本体データを有する。画像データの印刷後、デジタルカメラ１０に記録されている撮影画像ファイル１６のうち、Ｅｘｉｆヘッダデータ及びサムネイル画像データは残存し、画像本体データは削除される。図４（ｂ）は印刷補正ファイル１８であり、ユーザの嗜好に従って印刷時に色補正した場合の補正データを有する。図４（ｃ）は履歴情報ファイル２０であり、固有情報部と印刷履歴部から構成される。固有情報部には、登録者ＩＤ、登録日、撮影日時、キーワード（画像検索用）、色データの修正可否の各データが記録される、印刷履歴部には、日時、使用者ＩＤ、プリンタＩＤ、印刷枚数の各データが記録される。色データの修正可否は、印刷補正ファイル１８に従ってそのまま印刷せず、異なる色補正を行って印刷した場合に、新たな補正データで印刷補正ファイル１８の内容を書き換えることができるか否かを規定するデータである。複数の印刷ユーザが存在し、あるユーザＡの色補正と別のユーザＢの色補正とが互いに異なる場合であって、ユーザＢがユーザＡの色補正データを任意に書き換えてしまうとその後にユーザＡが元の色補正データに基づいて再度印刷したいと欲する場合に印刷ができなくなる事態を防止するためである。色データの修正を可能とした場合、ユーザＢが新たに設定した色補正データに書き換えられるが、ユーザＡの色補正データを考慮したデータに書き換えてもよい。例えば、ユーザＡの色補正データとユーザＢの色補正データとの平均値を算出して新たな色補正データとする等である。
【００２７】
＜プリンタドック１２を操作して印刷指示する場合＞
図５に、プリンタドック１２の処理フローチャートを示す。まず、ユーザがボタン機構部１２ｂを構成するボタンの一つである閲覧ボタンを押下操作し（Ｓ２０１）、プリンタドック１２に有線あるいは無線で接続されている機器を選択する（Ｓ２０２）。例えば、ユーザはデジタルカメラ１０を選択する。プリンタドック１２は選択された機器とＩＤ照合等の接続処理を実行し（Ｓ２０３）、デジタルカメラ１０に対してサムネイル画像の送信要求を行う。また、画像本体データの有無を確認する（Ｓ２０４）。デジタルカメラ１０からサムネイル画像が送信されると、これを読み込んで表示部１２ｃに表示してユーザの閲覧及び印刷すべき画像の選択を可能とする。ユーザがサムネイル画像を視認して印刷画像を選択するとともに印刷枚数や色補正を設定し（Ｓ２０５）、印刷ボタン、送信ボタン、削除ボタンのいずれかを押下操作する。
【００２８】
ユーザが印刷ボタンを押下操作した場合（Ｓ２０６ａ）、プリンタドック１２はデジタルカメラ１０の記録部１０ｃに記録されている撮影画像ファイル１６、印刷補正ファイル１８及び履歴情報ファイル２０を読み込む（Ｓ２０７ａ）。デジタルカメラ１０にサムネイル画像だけ存在し、画像本体データが存在しない場合には、外部記録装置１４にアクセスして外部記録装置１４から画像データの本体や印刷補正ファイル１８、履歴情報ファイル２０を読み込む。そして、読み込んだファイルを用いて印刷処理を実行し（Ｓ２０８ａ）、履歴情報ファイル２０を更新する（Ｓ２０９ａ）。Ｓ２０５で設定された色補正データと、読み込んだ印刷補正ファイル１８のデータとが一致しない場合、Ｓ２０５で設定された色補正データが優先されて印刷処理される。Ｓ２０５で設定された色補正データで印刷補正ファイル１８を更新するか否かは上記のとおり履歴情報ファイル２０の色データの修正可否に応じて決定される。以上の処理をユーザにより選択された全ての画像について行う（Ｓ２１０ａ）。
【００２９】
ユーザが送信ボタンを押下操作した場合（Ｓ２０６ｂ）、印刷した画像データが既に外部記録装置１４に登録されているか否かを確認する（Ｓ２０７ｂ）。この確認処理は図２のＳ１１５と同様である。未だ外部記録装置１４に登録されていない場合、デジタルカメラ１０から撮影画像ファイル１６、印刷補正ファイル１８、履歴情報ファイル２０を読み込んで外部記録装置１４に送信する。また、デジタルカメラ１０に対して撮影画像ファイル１６の画像本体データ、印刷補正ファイル１８、履歴情報ファイル２０の削除指令を行う（Ｓ２０８ｂ）。以上の処理をユーザにより選択された全ての画像について行う（Ｓ２０９ｂ）。
【００３０】
ユーザが削除ボタンを押下操作した場合（Ｓ２０６ｃ）、プリンタドック１２はデジタルカメラ１０に対して選択された画像の撮影画像ファイル１６、印刷補正ファイル１８、履歴情報ファイル２０を削除するように削除指令を行う。デジタルカメラ１０にこれらのファイルが存在しない場合、プリンタドック１２は外部記録装置１４に対して選択された画像の撮影画像ファイル１６、印刷補正ファイル１８、履歴情報ファイル２０の削除指令を行う。外部記録装置１４に対する削除指令にはサムネイル画像も含まれる。デジタルカメラ１０に画像本体データ等が存在しない場合でも、サムネイル画像は存在する。外部記録装置１４に対して撮影画像ファイル１６、印刷補正ファイル１８、履歴情報ファイル２０の削除を指令した場合、デジタルカメラ１０に対してはサムネイル画像の削除指令を行う（Ｓ２０７ｃ）。これにより、デジタルカメラ１０及び外部記録装置１４のいずれからも対象となる画像データが削除される。以上の処理をユーザにより選択された全ての画像について行う（Ｓ２０８ｃ）。
【００３１】
以上、本発明の実施形態について説明したが、本発明はこれに限定されるものではなく、その技術思想の範囲内で他の態様も可能である。
【００３２】
例えば、デジタルカメラ１０の撮像部１０ａで静止画（スチル画像）ではなく動画を撮影して記録部１０ｃに記録し、動画中の任意の場面を切り出してプリンタドック１２に供給してもよい。すなわち、本実施形態における画像データには動画中の画像データも含まれる。さらに、デジタルカメラ１０の記録部１０ｃに記録された複数枚の画像データをプリンタドック１２で互いに連結し、１枚のパノラマ画像として印刷してもよく、プリンタドック１２はこのようにして連結して印刷したパノラマ画像データを外部記録装置１４に送信することができる。
【図面の簡単な説明】
【００３３】
【図１】実施形態のシステム構成図である。
【図２】カメラ側から印刷指示する場合のプリンタドックの処理フローチャートである。
【図３】印刷・送信指示ファイルの説明図である。
【図４】撮影画像ファイル、印刷補正ファイル及び履歴情報ファイルの説明図である。
【図５】プリンタドックから印刷指示する場合のプリンタドックの処理フローチャートである。
【符号の説明】
【００３４】
１０  デジタルカメラ、１２  プリンタドック、１４  外部記録装置、１６  撮影画像ファイル、１８  印刷補正ファイル、２０  履歴情報ファイル。
【図１】
2007181964.tif 000003
【図２】
2007181964.tif 000004
【図３】
2007181964.tif 000005
【図４】
2007181964.tif 000006
【図５】
2007181964.tif 000007